(57)【要約】【課題】  建物の屋根材或いは外装材、断熱材及び内装材等の荷重を耐えて、熱損失の少ない結露による損傷を防止する壁材保持具の従来技術の改良に関わり、更なる耐久性の向上が期待される支持具付胴縁を提供することである。【解決手段】  平板に、同一面方向に張設する、外壁の内側に設ける胴縁と内壁の下地板或いは屋根の野地板に固定する二つの張出長さの異なる鍔部を設け、この鍔の張出長さに一致する長さで両者を固定する側面を有する固定板を、前記平面のほぼ中央に立設固定する支持具と、鍔の片側が挿入する一側面に切欠を形成する角筒状胴縁を一体化する支持具付胴斑として課題を解決するものである。【選択図】      図２
0003103853.tif 000002
【実用新案登録請求の範囲】
【請求項１】
平板の片面側に張設する張出長さの異なる支持用鍔を前記平板の対向する側面或いは側面近傍の面上に設け、前記平板の略中央に、前記支持用鍔のそれぞれの長さに一致する立側面で両支持用鍔を固定し傾斜する一側面を形成する固定板を立設固定して成る鍔付支持具と、該鍔付支持具の一方の鍔部を挿入し固定するための、一側面の長手方向に形成する開口部の適宜位置に複数の前記鍔部の高さより大きい間隔の切欠を施す角筒型胴縁との組み合わせに成る支持具付胴縁。
【考案の詳細な説明】
【技術分野】
【０００１】  本考案は、建築の外張断熱工法における外装材或いは断熱材、屋根材等の使用における支持具付胴縁に関するものであり、特に強化の為に、支持具と胴縁の組み合わせに関わるものである。
【背景技術】
【０００２】    従来の建築物における断熱工法では、柱の外側に下地板と外壁内側に設ける縦胴縁或いは横胴縁間に断熱材を挟み、単に釘等で止めており、その為に生ずる強度不足、熱伝達による壁内部の結露の発生等に関わる建物自体の耐久性を低下させている問題があり、この問題を解消するために、例えば、特開２００２−１２１８３８で開示されている外側断熱ＳＨＭブラケットが公知である。
前記公知のプラスチック材で形成されるブラケットにおいては、垂直の三角部分が外装材の重量を受け、水平の鍔部分が左右の横揺れ防止の役目を果たすもので、耐震性が向上し、且つプラスチックの熱伝導特性でヒートブリッジを小さくして壁部の耐久性を向上させるものである。前記水平の鍔部分は平板の両面側に設けられており、片側の鍔部分を縦胴縁に固定するもので横胴縁への取り付けが困難であるとともに、互いに組み合わせての使用は出来ない構造で在るために、比較的小片のブラケット単体で使用する限り、大きな耐震性は期待できず、更なる耐久性のある断熱建築物が求められているのが現状である。
本出願人は上記問題に鑑み、先に、実用新案登録第３０９４６３８号公報に記載の新規な組み合わせブラケットを提案している。
【特許文献１】  特開２００２−１２１８３８
【特許文献２】  実願２００２−８４７９
【考案の開示】
【考案が解決しようとする課題】
【０００３】  本考案は、上記従来技術の改良に関わり、より生産性の高い外断熱工法における、同一出願人により提案されているブラケットと胴縁の組み合わせに成る支持具付胴縁を提供することが課題である。
【課題を解決するための手段】
【０００４】  一つの平板の同一面方向に張出して、対向する側面の二カ所に設ける支持用鍔を有する支持具と、該支持具の一方の鍔部を挿入し固定するための、一側面に長手方向の開口部を形成し、該開口部の適宜位置に複数の、前記鍔部の挿入を許容する鍔の高さより大きい間隔の切欠を施す角筒の胴縁とを組み合わせて成る支持具付胴縁として課題を解決するものである。
【考案の効果】
【０００５】  本考案に成る鍔付支持具付胴縁を用いる事により、断熱建築物の構築における壁材等の重力負荷に対する抵抗力を向上させ、鍔の長さを変えることで負荷分散を行い、中間に設ける補強板としての支持立板により断熱材或いは通気層の採用範囲が広がり、熱伝達による熱損失を低減できる支持具自体の有する効果と相まって、胴縁との組み合わせに拠り、極めて施工が容易となる特有の効果を有し、従来には無い生産性の高い建物の構築を行うことが出来る事となる。
【考案を実施するための最良の形態】
【０００６】  平板の対向側面の同一方向に張設ける鍔部を有する一つの鍔部を、該鍔部が挿入し固定される、一側面の長手方向に形成する開口部に設ける切欠を有する角筒型胴縁をスチ−ル製にすることに拠り、強度的には最適なものとすることが出来る。
【実施例１】
【０００７】  以下、図面に示す実施例に従って実施態様を詳述する。
図１は、本考案の一実施例における支持具付胴縁の構成図であり、角筒型縦胴縁１に鍔付支持具６の複数個が取り付けられている状態を示しているが、図２及び図３に示す実施例の詳細を表す斜視図と側面図に従って説明する。
平板７の対向する両側面にそれぞれ高さの異なる平坦な鍔部８、８を設け、両鍔部８、８間を平板７の略中心線に沿って支持立板９から成る鍔付支持具６と、鍔付支持具６の一端側鍔部８′が挿入し固定される、鍔部８′の高さより大き目の間隔で設ける切込４を、長手方向に開いている開口部を形成してある側面３に施し、対向する側面２に鍔部８の位置止５を内側に突出して設ける四角筒状の胴縁１とによって構成される支持具付胴縁である。鍔付支持具６の鍔部８、８′には壁材等にビス或は釘などで固定するための取付用孔１０を設けてある。通常は四角筒状の胴縁１の幅に合わせて鍔付支持具６及び鍔部８、８の幅を定めるものである。また、平板側面２に設ける位置止５はわすかに内側に向かって突出していれば用が足りるもので、側面２の外側から胴縁１の短手方向に押圧して面を部分的に変形させて形成する例を図示しているが、他の別部品を突起物として設けること等の選択は自由にできるものである。
亦、壁材或は外装材等への取り付け固定に釘或はビス等に依るが、予め鍔付支持具１と縦胴縁１が組まれている状態でも、傾斜してビス等を差し込めるので固定方法としては垂直に差し込む場合より安定して固定できることになる。
【実施例２】
【０００８】  図４は横胴縁の例を部分的に示すものである。横胴縁１１の一側面３の長手方向に開口部が形成されており、其の開口部の一部に、図は省略して一個のみの鍔付支持具６が組み込まれた状態を示してあるが、鍔付支持具６の平板７及び鍔部８、８′の幅と略等しい幅で複数個の切欠４を設け、この切欠４に鍔付支持具６を挿入し横胴縁１１と一体化して壁材等に取り付けるものである。複数の支持具６を取り付けることは状況に合わせることでよい。
【実施例３】
【０００９】  図５は他の実施例を示す取り付け状態図である。上記実施例に示す縦胴縁１の上端側の一部に、対向する二側面だけを残すガイド１２及び垂木固定孔１３を形成して、屋根の通気用垂木１４をガイド１２に乗せ両側から挟みこんで固定するもので、外張り断熱施工の屋根の吹き上がり防止と準防火、準耐火対策として或は強度的にスチ−ル製の縦胴縁１とすることが最良であり普通でも合って断熱材、外装材を保持できるものとなる。
【産業上の利用可能性】
【００１０】  本考案に関わる鍔付支持具６は、比較的強度の高いプラスチック材を適当に選択し一体成型により極めて容易に生産ができ、コストの要からない部品単体とすることができることと、縦胴縁１或は横胴縁１１とビス等で、場合によっては耐熱シ−トを挟んで、一体化することで、工場等からの出荷時点で組み品として形成し、建築の現場においては、壁材等に固定するだけで利用可能となるものである。
【図面の簡単な説明】
【００１１】  図１は、本考案の一実施例を示す構成図である。
図２は、図１における実施例の部分斜視図である。
図３は、図２に示す実施例の側面図である。
図４は、他の実施例を示す部分斜視図である。
図５は、更に他の実施例を示す取り付け状態部分図である。
【符号の説明】
【００１２】  １        縦胴縁
２        胴縁側面
３        胴縁側面
４        切欠
５        支持具位置止
６        支持具
７        平板
８、８′  鍔部
９        支持立板
１０        取付用孔
１１        横胴縁
１２        ガイド
１３        垂木固定用孔
１４        通気垂木
【図１】
0003103853.tif 000003
【図２】
0003103853.tif 000004
【図３】
0003103853.tif 000005
【図４】
0003103853.tif 000006
【図５】
0003103853.tif 000007